(57)【要約】【課題】灰皿ボックスを開動させるための専用のバネを不要とした、車両用プッシュオープン式灰皿装置の提供。【解決手段】リテーナ２０と、リテーナ２０に出し入れ可能に支持される灰皿ボックス３０と、灰皿ボックス３０の開口の少なくとも一部を覆うプロテクタ４０と、プロテクタ４０を灰皿ボックス３０の開口を開放する方向に付勢するプロテクタ付勢バネ５０とを、有し、灰皿ボックス３０がプロテクタ付勢バネ５０の付勢力によりリテーナ２０から突出する方向に付勢されている、車両用プッシュオープン式灰皿装置１０。【選択図】        図３
2004237893.tif 000002
【特許請求の範囲】
【請求項１】
リテーナと、
前記リテーナに出し入れ可能に支持される灰皿ボックスと、
前記灰皿ボックスの開口の少なくとも一部を覆うプロテクタと、
前記プロテクタを前記灰皿ボックスの開口を開放する方向に付勢するプロテクタ付勢バネと、
を有し、
前記灰皿ボックスが、前記プロテクタ付勢バネの付勢力により、前記リテーナから突出する方向に付勢されている、
車両用プッシュオープン式灰皿装置。
【発明の詳細な説明】
【０００１】
【発明の属する技術分野】
本発明は、プッシュオープン式の車両用灰皿装置に関する。
【０００２】
【従来の技術】
従来の車両用灰皿装置は、たとえば実開平３−７６７４０号公報に開示されている。公報に開示された車両用灰皿装置は、リテーナと、灰皿ボックスと、プロテクタと、プロテクタ付勢バネとを、有する。
ボックスは、リテーナに着脱可能である。ボックスは、リテーナに取付けられているとき、リテーナに対して、開位置と閉位置との間で回動可能である。プロテクタ付勢バネは、プロテクタを上方に付勢するためだけに設けられている。
ただし、公報記載の車両用灰皿装置は、手動式の灰皿装置であり、プッシュオープン式の灰皿装置ではない。ここで、手動式の灰皿装置は、閉位置にあるボックスを開位置に移動させるのに、ボックスを手で引き出すタイプの灰皿装置であり、プッシュオープン式の灰皿装置は、閉位置にあるボックスを開位置に移動させるのに、ボックスをリテーナ内に押し込むとロック装置が解除され、ボックスがバネの付勢力により開位置に移動するタイプの灰皿装置である。
【０００３】
【特許文献１】
実開平３−７６７４０号公報
【０００４】
【発明が解決しようとする課題】
上記公報に開示された車両用灰皿装置は手動式の灰皿装置であるが、上記公報に開示された車両用灰皿装置をプッシュオープン式の灰皿装置にする場合、つぎの問題点がある。
灰皿ボックスを開動付勢するための専用のバネが必要であり、そのための部品費、組付け費が必要になる。
本発明の目的は、灰皿ボックスを開動させるための専用のバネを不要とした、車両用プッシュオープン式灰皿装置を提供することにある。
【０００５】
【課題を解決するための手段】
上記目的を達成する本発明はつぎの通りである。
（１）  リテーナと、
前記リテーナに出し入れ可能に支持される灰皿ボックスと、
前記灰皿ボックスの開口の少なくとも一部を覆うプロテクタと、
前記プロテクタを前記灰皿ボックスの開口を開放する方向に付勢するプロテクタ付勢バネと、
を有し、
前記灰皿ボックスが、前記プロテクタ付勢バネの付勢力により、前記リテーナから突出する方向に付勢されている、
車両用プッシュオープン式灰皿装置。
【０００６】
上記（１）の車両用プッシュオープン式灰皿装置では、灰皿ボックスがプロテクタ付勢バネの付勢力によりリテーナから突出する方向に付勢されているので、灰皿ボックスを開動させるための専用のバネは不要である。
【０００７】
【発明の実施の形態】
以下、本発明実施例の車両用プッシュオープン式灰皿装置を、図１〜図６を参照して、説明する。
本発明実施例の車両用プッシュオープン式灰皿装置（以下、装置という）１０は、図１に示すように、リテーナ２０と、リテーナ２０に出し入れ可能に支持される灰皿ボックス３０と、灰皿ボックス３０の開口の少なくとも一部を覆うプロテクタ４０と、プロテクタ４０を灰皿ボックス３０の開口を開放する方向に付勢するプロテクタ付勢バネ５０とを、有する。装置１０は、さらに、ロック・ロック解除機構６０を、有する。
【０００８】
リテーナ２０は、たとえば、車両の内装部材であるインスツルメントパネルに埋設される。ただし、リテーナ２０の配設場所は、インスツルメントパネルに限定されるものではなく、たとえば、車両の内装部材であるコンソールボックスの、車両前後方向前側面または車両前後方向後側面であってもよい。以下、本発明実施例では、リテーナ２０がインスツルメントパネルに埋設される場合を例にとって説明する。
リテーナ２０は、樹脂製である。リテーナ２０は、リテーナ収容部２１と、軸受け部２２と、ケース２３を、有する。
【０００９】
リテーナ収容部２１は、リテーナ２０の、上壁２０ａと左右の側壁２０ｂ、２０ｃと底壁２０ｄとで囲まれる空間であり、車室内（車両後方向）に開口する。リテーナ収容部２１には、灰皿ボックス３０が出入りする。
軸受け部２２は、リテーナ２０の左右両側壁２０ｂ、２０ｃの下端部に、形成される。軸受け部２２は、灰皿ボックス３０の軸部３２を回転摺動可能に支持する。軸受け部２２には、軸受け部２２からリテーナ２０の側壁２０ｂ、２０ｃに沿って上方に延びる軸受けガイド２２ａが設けられている。軸受けガイド２２ａは、灰皿ボックス３０をリテーナ２０に組付けるときに、灰皿ボックス３０の軸部３２を軸受け部２２に入れ易くするためのガイドである。
【００１０】
ケース２３は、リテーナ２０の上壁２０ａに設けられる。ケース２３は、リテーナ２０に一体に形成されていてもよく、リテーナ２０と別体に形成されてリテーナ２０に固定して取付けられていてもよい（図示例では、ケース２３がリテーナ２０と別体に形成されてリテーナ２０に固定して取付けられる場合を示している）。ケース２３がリテーナ２０と別体に形成される場合、ケース２３の材質はリテーナ２０の材質と異なっていてもよい。
ケース２３は、バルブケース部２３ａと、板状部２３ｂと、からなる。
バルブケース部２３ａと板状部２３ｂは、互いに一体に形成されていてもよく別体に形成した後互いに固定されていてもよい。
板状部２３ｂの下面（リテーナ２０内側面）には、少なくとも１個のリブ２３ｃが設けられている。リブ２３ｃは、リテーナ２０の上壁２０ａに沿って車両前後方向に延びている。リブ２３ｃは、板状部２３ｂの下面からリテーナ収容部２１内に突出している。リブ２３ｃの突出方向先端部は、図３に示すように、リテーナ収容部２１の奥から開口に（車両後方向に）いくにつれて灰皿ボックス３０の回転中心Ｐから離れている。リブ２３ｃの突出方向先端部と、プロテクタ４０の回転中心Ｑの移動軌跡との間の距離Ｌは、リテーナ２０の奥から開口に向うに従って大になっている。リブ２３ｃの突出方向先端部は、プロテクタ４０の回転中心Ｑの移動軌跡に対して偏心させてある。
板状部２３ｂの車両後方向側の端部には、灰皿ボックス３０が開位置にあるときにプロテクタ４０のストッパ部４２が当接する、当接部２３ｄが形成されている。
【００１１】
なお、図１において、２４は、バルブケース部２３ａに取付けられるレンズである。２５は、灰皿ボックス３０のリテーナ２０に対する回動速度を緩やかにし高級感を与えるためのダンパである。２６は、灰皿ボックス３０が閉位置にあるときに気密性を高めるクッションである。
【００１２】
灰皿ボックス３０は、たとえば樹脂製である。灰皿ボックス３０は、リテーナ２０に着脱可能とされている。ボックス３０は、リテーナ２０に取付けられているとき、リテーナ２０に、出し入れ方向に、開位置と閉位置を越えたロック解除位置との間で回動可能とされている。灰皿ボックス３０には、ドア７０が別体に形成された後、固定して取付けられている。ただし、ドア７０は、灰皿ボックス３０に一体に形成されていてもよい。
灰皿ボックス３０は、ボックス収容部３１と、軸部３２を有する。
ボックス収容部３１は、上方に開放する開口３１ａを有する。ボックス収容部３１内には、図示略のもみ消し部が設けられている。
軸部３２は、灰皿ボックス３０の最下部に設けられている。軸部３２は、リテーナ２０の軸受け部２２に、車両左右方向と直交する方向に回動可能に支持される。軸部３２が軸受け部２２に回動可能に支持されるので、灰皿ボックス３０は、リテーナ２０に取付けられているとき、リテーナ２０に対し車両左右方向と直交する方向に回動可能である。
【００１３】
プロテクタ４０は、たとえば鉄製である。プロテクタ４０は、灰皿ボックス３０の開口３１ａの全部または一部を上方から覆う。プロテクタ４０は、灰皿ボックス３０に車両左右方向と直交する方向に回動可能に取付けられる。灰皿ボックス３０を開位置とロック解除位置との間で移動させるときの、プロテクタ４０の灰皿ボックス３０に対する回転中心Ｑの移動軌跡は、図３に示すように、灰皿ボックス３０の回転中心Ｐを中心とする円弧になる。
プロテクタ４０は、図１に示すように、指押し部４１と、ストッパ部４２を、有する。
【００１４】
指押し部４１は、プロテクタ４０の車両後方向側端部に形成されている。指押し部４１を下方に指で押すことにより、灰皿ボックス３０が開位置にあるときに、ストッパ部４２と当接部２３ｄとの当接を解除することができる。ストッパ部４２と当接部２３ｄとの当接が解除されたとき、灰皿ボックス３０をリテーナ２０から取り外すことができる。
ストッパ部４２は、プロテクタ４０の車両前方向側端部に形成されている。ストッパ部４２は、たとえば、プロテクタ４０の一部を上方に折り曲げることにより形成される。ストッパ部４２は、図３に示すように、灰皿ボックス３０が開位置とロック解除位置との間にあるとき、リテーナ２０のリブ２３ｃと摺動する。ストッパ部４２は、リブ２３ｃに接触しているとき、プロテクタ付勢バネ５０の付勢力によりリブ２３ｃに押し付けられている。ストッパ部４２は、灰皿ボックス３０が開位置にあるとき、リテーナ２０の当接部２３ｄに当接可能である。
【００１５】
プロテクタ付勢バネ５０は、図４に示すように、たとえばトーションスプリングからなる。プロテクタ付勢バネ５０は、プロテクタ４０を、灰皿ボックス３０に対し上方に（ボックス収容部３１の開口３１ａを開放する方向に）回動付勢する。プロテクタ付勢バネ５０の一端はプロテクタ４０の裏面に当てられ、プロテクタ付勢バネ５０の他端は灰皿ボックス３０に当てられている。
【００１６】
ロック・ロック解除機構６０は、図１に示すように、ロック部材６１と、カム６２と、からなる。
ロック部材６１とカム６２の一方は、リテーナ２０に設けられ、ロック部材６１とカム６２の他方は、灰皿ボックス３０に設けられる（図示例では、ロック部材６１がリテーナ２０に設けられ、カム６２が灰皿ボックス３０に設けられる場合を示している）。本発明実施例では、ロック部材６１がリテーナ２０に設けられ、カム６２が灰皿ボックス３０に設けられる場合を例にとって説明する。
ロック部材６１は、リテーナ２０の右側壁２０ｃに、車両左右方向と直交する方向に揺動可能に取り付けられる。ロック部材６１は、図示略のロックピンを有する。ロックピンは、カム６２に係脱可能である。ロックピンがカム６２に係合しているとき、灰皿ボックス３０は、プロテクタ付勢バネ５０が灰皿ボックス３０を開位置側に移動させる力に抗して、閉位置に保持される。
カム６２の形状は、ハート形状である。カム６２は、灰皿ボックス３０の側壁に設けられる。カム６２は、灰皿ボックス３０と一体に形成されていてもよく、灰皿ボックス３０と別体に形成されて灰皿ボックス３０に固定して取付けられていてもよい。
【００１７】
つぎに、本発明実施例の作用を説明する。
ストッパ部４２が、リブ２３ｃに接触しているとき、プロテクタ付勢バネ５０の付勢力によりリブ２３ｃに押し付けられており、また、▲２▼リブ２３ｃの突出方向先端部と、プロテクタ４０の回転中心Ｑの移動軌跡との間の距離Ｌが、リテーナ２０の奥から開口に向うに従って大になっているので、プロテクタ４０は、プロテクタ付勢バネ５０の付勢力を小とする方向に（リテーナ２０の奥から開口側に）移動しようとする。その結果、ボックス３０は、リテーナ２０の奥から開口側に移動しようとする（ロック解除位置から開位置側に移動しようとする）。この力を利用し、灰皿ボックス３０をロック解除位置から開位置側に移動させることができる。
したがって、プロテクタ４０を上方に付勢するバネ５０を灰皿ボックス３０をリテーナ２０に対して開動させる駆動源として利用でき、灰皿ボックス３０を開動付勢するための専用のバネは不要になる。
【００１８】
ストッパ部４２はリブ２３ｃの突出方向先端部に当るので、ストッパ部４２がリブ２３ｃ上を摺動する際の摺動抵抗は小である。
【００１９】
【発明の効果】
請求項１記載の車両用プッシュオープン式灰皿装置によれば、灰皿ボックス３０がプロテクタ付勢バネの付勢力によりリテーナから突出する方向に付勢されているので、灰皿ボックス３０を開動させるための専用のバネは不要である。
【図面の簡単な説明】
【図１】本発明実施例の車両用プッシュオープン式灰皿装置の、分解斜視図である。
【図２】本発明実施例の車両用プッシュオープン式灰皿装置の、組立てた状態の斜視図である。
【図３】図２のＡ−Ａ線断面図である。
【図４】本発明実施例の車両用プッシュオープン式灰皿装置の、灰皿ボックスとプロテクタとプロテクタ付勢バネの、断面図である。
【図５】本発明実施例の車両用プッシュオープン式灰皿装置の、灰皿ボックスをリテーナから取り外したときの、リテーナアッシーの斜視図である。
【図６】本発明実施例の車両用プッシュオープン式灰皿装置の、灰皿ボックスをリテーナから取り外したときの、灰皿ボックスアッシーの斜視図である。
【符号の説明】
１０  車両用プッシュオープン式灰皿装置
２０  リテーナ
２３  ケース
２３ｃ  リブ
３０  灰皿ボックス
３１  ボックス収容部
３１ａ  ボックス収容部の開口
４０  プロテクタ
４２  ストッパ部
５０  プロテクタ付勢バネ
Ｌ  リブ先端部と、プロテクタの灰皿ボックスに対する回動軸芯の移動軌跡との間の距離
Ｐ  灰皿ボックスの回転中心
Ｑ  プロテクタの灰皿ボックスに対する回転中心
【図１】
2004237893.tif 000003
【図２】
2004237893.tif 000004
【図３】
2004237893.tif 000005
【図４】
2004237893.tif 000006
【図５】
2004237893.tif 000007
【図６】
2004237893.tif 000008